(57)【特許請求の範囲】
【請求項１】
複数の太陽電池と、
前記太陽電池同士を接続する配線材と、
を備えた太陽電池モジュールであって、
前記太陽電池は、光電変換部の主面上であって分離領域を隔てて形成された集電フィンガー部と、前記分離領域に前記集電フィンガー部同士を繋ぐように形成され前記集電フィンガー部より高さが低い連結フィンガー部とを、備え、
前記分離領域が、前記集電フィンガー部と交差する方向に延びて、前記集電フィンガー部を分離するように前記主面上に設けられ、
前記分離領域を隔てた両側に位置する前記集電フィンガー部の端部間に跨って、前記配線材が前記集電フィンガー部上に設けられた太陽電池モジュール。
【請求項２】
請求項１に記載の太陽電池モジュールであって、
前記分離領域には、前記連結フィンガー部と交差する方向に延びたバスバー部が形成され、
前記バスバー部の高さは、前記集電フィンガー部の前記分離領域側の端部の高さと同じである太陽電池モジュール。
【請求項３】
請求項２に記載の太陽電池モジュールであって、
前記集電フィンガー部の前記分離領域側の端部と前記連結フィンガー部との高さの差は、前記集電フィンガー部の表面凹凸高さよりも大きい太陽電池モジュール。
【請求項４】
請求項２又は３に記載の太陽電池モジュールであって、
前記連結フィンガー部の線幅は、前記集電フィンガー部の前記分離領域側の端部の線幅よりも細い太陽電池モジュール。
【請求項５】
スクリーン印刷法により、太陽電池の光電変換部の主面上に、分離領域を隔てた両側に集電フィンガー部を形成するとともに、前記集電フィンガー部同士を繋ぐ連結フィンガー部を前記集電フィンガー部よりも低い高さで前記分離領域に形成する、電極形成工程と、
前記集電フィンガー部上に配線材を設けて、隣接する前記太陽電池同士を接続する配線材接続工程と、を備え、
前記電極形成工程では、前記集電フィンガー部と交差する方向に延びて前記集電フィンガー部を分離する前記分離領域を、前記主面上に残して前記集電フィンガー部を形成し、
前記配線材接続工程では、前記分離領域に設けられた前記連結フィンガー部全体を覆うように、前記配線材を設ける、太陽電池モジュールの製造方法。
【発明の詳細な説明】
【技術分野】
【０００１】
本発明は、太陽電池、太陽電池モジュール、及び太陽電池の製造方法に関する。
【背景技術】
【０００２】
太陽電池は、光電変換部と、光電変換部の主面上に形成された電極とを備える（例えば、特許文献１参照）。そして、電極には、細線状のフィンガー部が含まれる。なお、特許文献１では、幅の異なるフィンガー部を組み合わせた構造が開示されている。
【先行技術文献】
【特許文献】
【０００３】
【特許文献１】実用新案登録第３１５４１４５号公報
【発明の概要】
【発明が解決しようとする課題】
【０００４】
ところで、太陽電池のモジュール化に際して、複数の太陽電池を電気的に接続する配線材がフィンガー部に取り付けられる。配線材は、例えば、接着剤を用いてフィンガー部上に熱圧着されるが、通常、フィンガー部上には凹凸が存在するため、凸部が配線材に接触して集電ポイントとなる。しかし、この凹凸は不規則に存在するため、集電ポイントがランダムに発生して、電流パスが長くなる場合があり、出力ロスにつながる恐れがある。
【課題を解決するための手段】
【０００５】
本発明に係る太陽電池モジュールは、複数の太陽電池と、上記太陽電池同士を接続する配線材と、を備えた太陽電池モジュールであって、太陽電池は、光電変換部の主面上であって分離領域を隔てて形成された集電フィンガー部と、分離領域に集電フィンガー部同士を繋ぐように形成され集電フィンガー部より高さが低い連結フィンガー部とを、備え、分離領域が、集電フィンガー部と交差する方向に延びて、集電フィンガー部を分離するように主面上に設けられ、分離領域を隔てた両側に位置する集電フィンガー部の端部間に跨って、配線材が集電フィンガー部上に設けられている。
【０００７】
本発明に係る太陽電池モジュールの製造方法は、スクリーン印刷法により、太陽電池の光電変換部の主面上に、分離領域を隔てた両側に集電フィンガー部を形成するとともに、集電フィンガー部同士を繋ぐ連結フィンガー部を集電フィンガー部よりも低い高さで分離領域に形成する、電極形成工程と、集電フィンガー部上に配線材を設けて、隣接する太陽電池同士を接続する配線材接続工程と、を備え、電極形成工程では、集電フィンガー部と交差する方向に延びて集電フィンガー部を分離する分離領域を、主面上に残して集電フィンガー部を形成し、配線材接続工程では、分離領域に設けられた連結フィンガー部全体を覆うように、配線材を設けている。
【発明の効果】
【０００８】
本発明によれば、太陽電池の出力を向上させることができる。
【図面の簡単な説明】
【０００９】
【図１】本発明に係る実施形態である太陽電池を受光面側から見た平面図であって、配線材の配置を二点鎖線で示す。
【図２】図１のＡ‐Ａ断面を模式的に示した図である。
【図３】本発明に係る実施形態である太陽電池モジュールを模式的に示した断面図である。
【図４】図１のＢ部拡大図である。
【図５】図１のＢ部拡大図であって、配線材の配置を二点鎖線で示す。
【図６】図２のＣ部拡大図である。
【図７】本発明に係る実施形態において、電極高さとスクリーン版開口幅との関係を示した図である。
【図８】本発明に係る実施形態である太陽電池モジュールにおいて、受光面電極のバスバー部の近傍を模式的に示す断面図である。
【図９】本発明に係る実施形態である太陽電池の変形例を示す図である。
【図１０】本発明に係る実施形態である太陽電池の変形例を示す図であって、配線材の配置を二点鎖線で示す。
【発明を実施するための形態】
【００１０】
図面を参照して、本発明に係る実施形態である太陽電池１０を詳細に説明する。
本発明は、以下の実施形態に限定されない。また、実施形態において参照する図面は、模式的に記載されたものであり、図面に描画された構成要素の寸法比率などは、現物と異なる場合がある。具体的な寸法比率等は、以下の説明を参酌して判断されるべきである。
【００１１】
実施形態では、光電変換部１１における各半導体層及び各電極の積層方向を「厚み方向」とする。
【００１２】
図１及び図２を参照し、太陽電池１０の構成について詳説する。また、図３を参照し、複数の太陽電池１０を備えた太陽電池モジュール５０の構成についても詳説する。
図１は、太陽電池１０を受光面側から見た平面図である。図２は、図１のＡ‐Ａ断面を示す図であって、フィンガー部３１の長手方向に沿って太陽電池１０を厚み方向に切断した断面を示す。図３は、太陽電池モジュール５０の断面図である。図１では、配線材５４の配置を二点鎖線で示している。
【００１３】
太陽電池１０は、太陽光を受光することでキャリア（電子及び正孔）を生成する光電変換部１１と、光電変換部１１の受光面上に形成された受光面電極１２と、光電変換部１１の裏面上に形成された裏面電極１３とを備える。太陽電池１０では、光電変換部１１で生成されたキャリアが受光面電極１２及び裏面電極１３により収集される。詳しくは後述するが、太陽電池１０は、モジュール化に際して配線材５４が接続される集電フィンガー部３２，４２を含む。本実施形態では、連結フィンガー部３３，４３をさらに含み、これらをフィンガー部３１，４１と総称して説明する。
【００１４】
ここで、「受光面」とは、太陽電池１０の外部から太陽光が主に入射する主面を意味する。例えば、太陽電池１０に入射する太陽光のうち５０％超過〜１００％が受光面側から入射する。また、「裏面」とは、受光面と反対側の主面を意味する。なお、太陽電池１０の厚み方向に沿った面であって、主面に垂直な面が側面である。
【００１５】
光電変換部１１は、例えば、半導体の基板２０と、基板２０の受光面側に形成された非晶質半導体層２１と、基板２０の裏面側に形成された非晶質半導体層２２とを有する。非晶質半導体層２１，２２は、それぞれ基板２０の受光面及び裏面の全域（実質的に全域とみなせる状態、例えば、受光面の９５％が覆われた状態を含む。以下同様。）を覆うように形成されている。
【００１６】
基板２０の具体例としては、ｎ型単結晶シリコン基板が挙げられる。非晶質半導体層２１は、例えば、ｉ型非晶質シリコン層と、ｐ型非晶質シリコン層とが順に形成された層構造である。非晶質半導体層２２は、例えば、ｉ型非晶質シリコン層と、ｎ型非晶質シリコン層とが順に形成された層構造である。なお、光電変換部１１は、ｎ型単結晶シリコン基板の受光面上にｉ型非晶質シリコン層と、ｎ型非晶質シリコン層とが順に形成され、ｎ型単結晶シリコン基板の裏面上に、ｉ型非晶質シリコン層と、ｐ型非晶質シリコン層とが順に形成された構造でもよい。光電変換部１１は、公知の方法により形成することができる。
【００１７】
基板２０の受光面及び裏面には、テクスチャ構造を形成することが好適である。テクスチャ構造とは、表面反射を抑制し、光電変換部１１の光吸収量を増大させる表面凹凸構造である。テクスチャ構造の凹凸高さは、１μｍ〜１５μｍ程度である。非晶質半導体層２１，２２、及び透明導電層３０，４０の厚みは、数ｎｍ〜数十ｎｍ程度であるから、透明導電層３０，４０上にもテクスチャ構造の凹凸が現れる。また、フィンガー部３１，４１の表面形状にもテクスチャ構造が影響する場合がある。
【００１８】
受光面電極１２は、光電変換部１１の受光面上に形成される透明導電層３０を含むことが好適である。透明導電層３０としては、酸化インジウム（Ｉｎ2Ｏ3）や酸化亜鉛（ＺｎＯ）等の金属酸化物に、錫（Ｓｎ）やアンチモン（Ｓｂ）等をドープした透明導電性酸化物（ＴＣＯ）を適用できる。透明導電層３０は、スパッタリング法を用いて形成することができる。透明導電層３０は、非晶質半導体層２１上の全域に形成されてもよいが、図１に示す形態では、非晶質半導体層２１上において、その端縁部を除く全域に形成されている。
【００１９】
さらに、受光面電極１２は、透明導電層３０上に形成された複数（例えば、５０本）のフィンガー部３１と、フィンガー部３１と交差する方向に延びて透明導電層３０上に形成された複数（例えば、２本）のバスバー部３４とを含むことが好適である。フィンガー部３１は、透明導電層３０上の広範囲に形成される細線状の電極である。バスバー部３４は、フィンガー部３１よりも本数の少ない電極であって、フィンガー部３１からキャリアを収集する。
【００２０】
本実施形態では、２本のバスバー部３４が所定の間隔をあけて互いに平行に配置され、これに直交（実質的に直交とみなせる状態、例えば、フィンガー部３１とバスバー部３４とがなす角度が９０°±５°の状態を含む。以下同様。）して複数のフィンガー部３１が配置される。
【００２１】
裏面電極１３は、受光面電極１２と同様に、透明導電層４０と、複数のフィンガー部４１と、複数のバスバー部４４とを含むことが好ましい。但し、フィンガー部４１は、受光面側のフィンガー部３１に比べて遮光ロスの影響が少ないので、本数をより多く、間隔をより狭く設定することが好適である（例えば、本数：２５０本、間隔：０．５ｍｍ）。換言すると、フィンガー部の数が多く形成された主面が裏面である。なお、裏面側からの受光ロスを問題視しない場合、例えば、フィンガー部４１の代わりとして、光電変換部１１の裏面の略全面上に、銀（Ａｇ）薄膜等の金属膜を形成してもよい。
【００２２】
フィンガー部３１，４１及びバスバー部３４，４４は、めっき法やスパッタリング法によっても形成できるが、生産性等の観点から、スクリーン印刷法により形成することが好適である。スクリーン印刷法では、透明導電層３０上に導電性ペースト（例えば、銀ペースト）を所望のパターンでスクリーン印刷した後、ペースト中に含まれる溶剤を揮発させると共に、フィンガー部３１及びバスバー部３４が形成される。導電性ペーストとしては、例えば、エポキシ樹脂等のバインダー樹脂、バインダー樹脂中に分散した銀やカーボン等の導電性フィラー、及びブチルカルビトールアセテート（ＢＣＡ）等の溶剤を含むものである。すなわち、フィンガー部３１，４１及びバスバー部３４，４４は、導電性フィラーが分散したバインダー樹脂からなる。
【００２３】
太陽電池１０は、例えば、同一平面上に複数個並べられ、受光面側をカバーする第１保護部材５１と、裏面側をカバーする第２保護部材５２と、第１保護部材５１と第２保護部材５２との間に設けられる充填材５３とを用いてモジュール化される（図３参照）。太陽電池モジュール５０に含まれる複数の太陽電池１０は、導電性部材である配線材５４により電気的に接続される。１つの配線材５４は、例えば、隣接する一方の太陽電池１０の受光面電極１２に接続され、他方の太陽電池１０の裏面電極１３に接続される。つまり、配線材５４は、隣接する太陽電池１０同士を直列に接続する。
【００２４】
次に、図４〜図６を参照し、受光面電極１２のバスバー部３４の近傍における構成について、さらに詳説する。なお、裏面電極１３のバスバー部４４の近傍の構成は、受光面電極１２の場合と同様であるため、説明を省略する。
図４及び図５は、図１のＢ部拡大図、図６は、図２のＣ部拡大図であって、いずれもバスバー部３４の近傍を拡大して示す。図５では、配線材５４の配置を二点鎖線で示す。
【００２５】
本実施形態では、フィンガー部３１は、集電フィンガー部３２と、連結フィンガー部３３とを含んで構成される。受光面上には、集電フィンガー部３２と交差する方向に延びて集電フィンガー部３２を分離する分離領域Ｒが設けられている（図４参照）。分離領域Ｒは、集電フィンガー部３２が形成されない領域であって、集電フィンガー部３２は、分離領域Ｒを隔てて、その両側に形成されている。そして、分離領域Ｒには、その長手方向に沿ったバスバー部３４と、集電フィンガー部３２とバスバー部３４とを繋ぐ連結フィンガー部３３とが形成されている。
【００２６】
集電フィンガー部３２と連結フィンガー部３３とは、例えば、バスバー部３４に直交する同一直線上に形成されている。連結フィンガー部３３の一端には、集電フィンガー部３２が接続され、他端には、バスバー部３４が接続されている。すなわち、集電フィンガー部３２で収集されたキャリアの一部は、連結フィンガー部３３を介してバスバー部３４に伝達される。連結フィンガー部３３は、バスバー部３４の幅方向の両端から延出して、バスバー部３４に近接した範囲に形成される。
【００２７】
連結フィンガー部３３の長さは、いずれも同等（実質的に同等とみなせる状態、例えば、長さの差が５％以内である状態を含む。以下同様。）である。つまり、バスバー部３４の幅方向の両端から延出する一対の連結フィンガー部３３ａ，３３ｂは、互いに同等の長さを有する。そして、連結フィンガー部３３ａ，３３ｂを介してバスバー部３４に繋がる一対の集電フィンガー部３２ａ，３２ｂの間（すなわち、分離領域Ｒ）の中央部に、バスバー部３４を位置させることが好適である。
【００２８】
連結フィンガー部３３は、バスバー部３４の端から２．０ｍｍ程度の範囲内に形成されることが好ましい。つまり、連結フィンガー部３２の長さＬｆは、２．０ｍｍ以下が好ましい。長さＬｆは、バスバー部３４の幅Ｗｂ、配線材５４の幅Ｗｔに応じて変更することが好ましいが、通常、０．１ｍｍ〜１．０ｍｍがより好ましく、０．２ｍｍ〜０．７ｍｍが特に好ましい。本実施形態では、｛Ｌｆ×２＋Ｗｂ｝が、集電フィンガー部３２ａ，３２ｂの間隔Ｌｄ（すなわち、分離領域Ｒの幅）と同等である。
【００２９】
配線材５４は、分離領域Ｒを隔てた両側に位置する集電フィンガー部３２ａ，３２ｂの端部間に跨って設けられる（図５参照）。本実施形態では、バスバー部３４の長手方向に沿って、バスバー部３４の全体を覆って配線材５４が設けられる。配線材５４の幅Ｗｔがバスバー部３４の幅Ｗｂよりも大きい。そして、配線材５４は、バスバー部３４の幅方向両端からはみ出し、集電フィンガー部３２ａ，３２ｂ上に設けられる。つまり、間隔Ｌｄは、幅Ｗｔよりも小さく設定される。なお、バスバー部３４の幅Ｗｂは、例えば、０．１ｍｍ〜２．０ｍｍが好ましく、０．５ｍｍ〜１．５ｍｍがより好ましい。配線材５４の幅Ｗｔは、Ｗｔ＞Ｗｂの条件を満たす範囲において、例えば、０．２ｍｍ〜４．０ｍｍが好ましく、１．０ｍｍ〜２．０ｍｍがより好ましい。
【００３０】
連結フィンガー部３３ａ，３３ｂは、配線材５４により全体が覆われている。集電フィンガー部３２ａ，３２ｂは、分離領域Ｒ側の端部のみが配線材５４により覆われている。配線材５４は、その幅方向の中央部と、バスバー部３４の幅方向の中央部とが一致するように配置され、配線材５４により覆われる集電フィンガー部３２ａ，３２ｂの端部の長さＬｅが同等であることが好ましい。長さＬｅは、電流パスの短縮、及び配線材５４の取り付け誤差等を考慮して、０．０５ｍｍ〜１．０ｍｍが好ましく、０．１ｍｍ〜０．５ｍｍがより好ましい。
【００３１】
連結フィンガー部３３の高さｈ１は、集電フィンガー部３２の分離領域Ｒ側の端部の高さｈ２よりも低くする（図６参照）。ここで、高さｈ１，ｈ２とは、透明導電層３０の表面からそれぞれのフィンガー部の表面までの厚み方向に沿った長さである。高さｈ１，ｈ２は、走査型電子顕微鏡（ＳＥＭ）を用いた断面観察により計測される値の平均値である。なお、連結フィンガー部３３の最も高い部分の高さｈ１ｍａｘも、高さｈ２よりも小さいことが好適である。本実施形態において、集電フィンガー部３２の高さ（平均値）は、分離領域Ｒ側の端部だけでなく全体に亘って、連結フィンガー部３３の高さｈ１よりも高い。そして、集電フィンガー部３２の高さ（平均値）は、全体に亘って同等である。以下では、高さｈ２を、集電フィンガー部３２の高さｈ２として説明する。
【００３２】
高さｈ１を高さｈ２よりも低くすることにより、配線材５４と連結フィンガー部３３とは、接触せず又は接触が抑制されている一方、配線材５４と集電フィンガー部３２とが接触する。集電フィンガー部３２ａ，３２ｂの分離領域Ｒ側の端部には、配線材５４の幅方向の両端部がそれぞれ接触する。一方、配線材５４の幅方向の両端部から離れた中央部寄りの部分はフィンガー部３１と接触しない。そして、配線材５４と集電フィンガー部３２との接触部が集電ポイントＰとなる（図５参照）。集電ポイントＰは、各集電フィンガー部３２に設けられることが好適である。集電フィンガー部３２により収集されたキャリアは、この集電ポイントＰを通って配線材５４へ伝達され、太陽電池モジュール５０の外部に取り出される。
【００３３】
集電ポイントＰが設けられた部分の集電フィンガー部３２と連結フィンガー部３３との高さの差Ｈｄ（すなわち、ｈ２−ｈ１）は、集電フィンガー部３２の表面凹凸高さｈ３よりも大きくすることが好適である。特に、スクリーン印刷法によりフィンガー部３１を形成する場合には、電極表面に凹凸が形成され易いため、当該構成とすることが好適である。高さの差Ｈｄを表面凹凸高さｈ３よりも大きくすることにより、配線材５４と連結フィンガー部３３とがさらに接触し難くなり、集電ポイントＰをより確実に集電フィンガー部３２の分離領域Ｒ側の端部に位置させることができる。ここで、表面凹凸高さｈ３は、三次元計測ＳＥＭにより求められる平均値である。
【００３４】
具体的に、集電フィンガー部３２の高さｈ２は、１５μｍ〜５０μｍが好ましく、２０μｍ〜４０μｍがより好ましい。連結フィンガー部３３の高さｈ１は、高さｈ２＞高さｈ１の条件を満たす範囲において、５μｍ〜３０μｍが好ましく、１０μｍ〜２０μｍがより好ましい。例えば、高さｈ２は、高さｈ１の略１／２に設定することが好適である。このような高さｈ１，ｈ２とすることによって、より確実に集電ポイントＰを集電フィンガー部３２の分離領域Ｒ側の端部に位置させることができる。
【００３５】
図７に、スクリーン印刷法でフィンガー部３１を形成した場合における電極高さ（平均）とスクリーン版の開口幅の関係を示す。図７には、実験１〜３の結果を示している。実際には、図６に示すように電極高さに凹凸が存在している。
実験１〜３では、同じ銀ペーストを用いて、同じ条件でスクリーン印刷を行った。いずれの実験結果からも、所定のスクリーン版開口幅以上で電極高さは一定であるが、所定のスクリーン版開口幅以下になると開口幅の減少に伴い電極高さは次第に低くなった。
【００３６】
図７に示す実験結果に基づき、連結フィンガー部３３の線幅を集電フィンガー部３２の線幅よりも細く形成することにより、１回のスクリーン印刷により互いに高さの異なる集電フィンガー部３２と連結フィンガー部３３とを形成することができる。例えば、高さｈ１が１０μｍ〜１５μｍの連結フィンガー部３３を形成する場合には、連結フィンガー部３３の線幅を４０μｍ〜５０μｍ程度とし、高さｈ２が２０μｍ〜２５μｍの集電フィンガー部３２を形成する場合には、集電フィンガー部３２の線幅を９０μｍ以上とすればよい。線幅は、スクリーン印刷法におけるスクリーン版の開口幅によって変更することができる。なお、粘度の高い銀ペースト（※３：粘度等）を用いること等により、例えば、高さｈ１をより大きくすることができる。
また、スクリーン印刷法を用いなくとも、連結フィンガー部の線幅を集電フィンガーの線幅よりも細くすることで、周囲の中で電極高さの最も高い部分（集電ポイントＰになる部分）を集電フィンガーの分離領域Ｒ側の端部にしやすくできる。電極高さの最も高い部分は面積に応じて出現しやすくなるからである。
【００３７】
本実施形態では、バスバー部３４の高さを、集電フィンガー部３２の高さと同等に設定し、バスバー部３４上にも集電ポイントを形成している。
【００３８】
次に、図８を参照しながら、太陽電池１０及び太陽電池モジュール５０の作用効果について詳説する。
図８では、太陽電池モジュール５０におけるバスバー部３４の近傍を拡大して示している。
【００３９】
太陽電池モジュール５０では、例えば、接着剤５５を用いて、バスバー部３４上及び集電フィンガー部３２上に配線材５４を接続する。接着剤５５としては、例えば、非導電性接着剤や銀等の導電性フィラーが樹脂中に分散された導電性接着剤などである。配線材５４は、例えば、集電フィンガー部３２等との間にフィルム状の接着剤５５を挟んだ状態で熱圧着される。この熱圧着により、配線材５４に押圧されて集電フィンガー部３２等の表面の凸部が圧縮され、例えば、配線材５４と当該凸部とが接触する。接着剤５５は、主に電極表面の凹部に存在し、配線材５４と電極とを強く接着する。こうして、集電ポイントＰが形成される。
【００４０】
図８に例示する形態では、連結フィンガー部３３の高さｈ１が、集電フィンガー部３２の高さｈ２よりも低いため、連結フィンガー部３３と配線材５４とが接触せず、集電ポイントＰは、集電フィンガー部３２の分離領域Ｒ側の端部と配線材５４の端部とが接触して形成される。これにより、キャリアは、集電フィンガー部３２の端部にある集電ポイントＰから配線材５４の端部へと伝達される。したがって、受光面電極１２と配線材５４との電流パスが短くなり、配線部における抵抗損失を低減することができる。
【００４１】
また、使用時の衝撃等により集電フィンガー部３２の端部の集電ポイントＰが失われた場合等には、集電フィンガー部３２で収集されたキャリアが連結フィンガー部３３を介してバスバー部３４に伝達され、バスバー部３４の集電ポイントから取り出される。
【００４２】
また、太陽電池モジュール５０では、配線材５４と電極との接触面積が小さくなるため、熱圧着時の圧力を低減することも可能である。これにより、基板２０の厚みが薄い場合であっても熱圧着時における太陽電池１０の割れを抑制できる。
【００４３】
なお、裏面電極１３についても、受光面電極１２と同様の構成とすることによって同様の作用・効果を得ることができる。
【００４４】
上記実施形態は、発明の目的を損なわない範囲で適宜設計変更できる。
図９に、上記実施形態の変形例を示す。図９では、太陽電池１０と同様の構成要素には、図４と同一符号を使用して重複する説明を省略する。図９に例示する形態では、集電フィンガー部３２に交差する分離領域Ｒが受光面上に設けられる。分離領域Ｒは、例えば、集電フィンガー部３２に直交して、集電フィンガー部３２を分離しており、集電フィンガー部３２は、分離領域Ｒを隔てて、その両側に形成されている。図９に例示する形態は、以上の点において、太陽電池１０と共通するが、分離領域Ｒにバスバー部及び連結フィンガー部が形成されず、分離領域Ｒを隔てた両側に位置する集電フィンガー部３２同士が電気的に分離されている点で太陽電池１０と相違する。
【００４５】
図１０では、配線材５４の配置を二点鎖線で示している。配線材５４は、分離領域Ｒ上を覆い、分離領域Ｒを隔てた両側に位置する集電フィンガー部３２の端部間に跨って設けられる。分離領域Ｒを隔てて、その幅方向の両側で同一直線上に形成された一対の集電フィンガー部３２ａ，３２ｂの間隔Ｌｄは、配線材５４の幅Ｗｔよりも、やや小さくなるように設定される。そして、集電フィンガー部３２の分離領域Ｒ側の端部と配線材５４の端部とが接触して集電ポイントＰが形成される。このような構成においても、上記実施形態と同様の作用・効果を得ることができる。
また、太陽電池１０と共通するが、分離領域Ｒに連結フィンガー部は形成されるが、バスバー部は形成されない変形例とすることもできる。
【００４６】
つまり、太陽電池１０及びその変形例のいずれにおいても、分離領域Ｒを隔てた両側に、分離領域Ｒに交差する複数の集電フィンガー部３２が形成されている。このため、集電ポイントに設定される集電フィンガー部３２の端部が分離領域Ｒに沿って並び、分離領域Ｒの両側に集電ポイントを集中させることができる。したがって、太陽電池１０及びその変形例によれば、電流パスを効率良く形成させることができ、出力ロスを低減できる。換言すると、集電ポイントのバラツキをなくして、出力を向上させることができる。
【符号の説明】
【００４７】
１０  太陽電池、１１  光電変換部、１２  受光面電極、１３  裏面電極、２０  基板、２１，２２  非晶質半導体層、３０，４０  透明導電層、３１，４１  フィンガー部、３２，４２  集電フィンガー部、３３，４３  連結フィンガー部、３４，４４  バスバー部、５０  太陽電池モジュール、５１  第１保護部材、５２  第２保護部材、５３  充填材、５４  配線材、５５  接着剤、Ｐ  集電ポイント、Ｒ  分離領域。
【図１】
0005903600.tif 000002
【図２】
0005903600.tif 000003
【図３】
0005903600.tif 000004
【図４】
0005903600.tif 000005
【図５】
0005903600.tif 000006
【図６】
0005903600.tif 000007
【図７】
0005903600.tif 000008
【図８】
0005903600.tif 000009
【図９】
0005903600.tif 000010
【図１０】
0005903600.tif 000011